【手続補正書】
【提出日】平成24年6月26日(2012.6.26)
【手続補正１】
【補正対象書類名】特許請求の範囲
【補正対象項目名】全文
【補正方法】変更
【補正の内容】
【特許請求の範囲】
【請求項１】
動画像の１フレームの画像を複数の分割領域に分割する分割手段と、
前記分割領域毎に、その分割領域内の画素の階調値に基づいて、前記画像の階調を変換するための階調変換パラメータを決定する決定手段と、
前記動画像における前記分割領域間を跨いだ映像の動きを検出して動き情報を生成する生成手段と、
前記分割領域毎に、前記動き情報に基づいて、前記決定手段により決定された前記階調変換パラメータを補正して補正パラメータを出力する補正手段と、
前記補正パラメータを用いて前記画像の階調を変換する変換手段と、
を有することを特徴とする画像処理装置。
【請求項２】
前記生成手段は、前記動き情報として、階調変換の対象である対象フレームの前記分割領域毎に、その前のフレームからの所定の階調範囲の画素数の変動量を算出し、
前記補正手段は、前記変動量に応じて、前記決定手段で決定された階調変換パラメータと前記前のフレームで適用された階調変換パラメータの間の変換特性をもつように、前記所定の階調範囲の画素に適用する補正パラメータを決定する
ことを特徴とする請求項１に記載の画像処理装置。
【請求項３】
前記補正手段は、前記前のフレームに比べて前記対象フレームの前記所定の階調範囲の画素数が多いほど、前記決定手段で決定された階調変換パラメータの変換特性に近くなるように補正パラメータを決定する
ことを特徴とする請求項２に記載の画像処理装置。
【請求項４】
前記補正手段は、前記前のフレームに比べて前記対象フレームの前記所定の階調範囲の画素数が少ないほど、前記前のフレームで適用された階調変換パラメータの変換特性に近くなるように補正パラメータを決定する
ことを特徴とする請求項２または３に記載の画像処理装置。
【請求項５】
前記生成手段は、前記動き情報として、動きの有る物体部分と動きの無い背景部分とを区別する情報を生成し、
前記補正手段は、前記物体部分と前記背景部分について、個別に、補正パラメータを決
定する
ことを特徴とする請求項１に記載の画像処理装置。
【請求項６】
前記補正手段は、前記物体部分に適用する補正パラメータを、階調変換の対象である対象フレームの前のフレームで当該物体部分に適用された階調変換パラメータを基準として決定する
ことを特徴とする請求項５に記載の画像処理装置。
【請求項７】
前記生成手段は、前記動き情報として、階調変換の対象である対象フレームの前記分割領域毎に、その前のフレームからの前記背景部分の面積の変動量を更に算出し、
前記補正手段は、前記変動量に応じて、前記決定手段で決定された階調変換パラメータと前記前のフレームで前記背景部分に適用された階調変換パラメータの間の変換特性をもつように、前記背景部分に適用する補正パラメータを決定する
ことを特徴とする請求項５または６に記載の画像処理装置。
【請求項８】
前記補正手段は、前記前のフレームに比べて前記対象フレームの前記背景部分の面積が大きいほど、前記決定手段で決定された階調変換パラメータの変換特性に近くなるように、前記背景部分に適用する補正パラメータを決定する
ことを特徴とする請求項７に記載の画像処理装置。
【請求項９】
前記補正手段は、前記前のフレームに比べて前記対象フレームの前記背景部分の面積が小さいほど、前記前のフレームで背景部分に適用された階調変換パラメータの変換特性に近くなるように、前記背景部分に適用する補正パラメータを決定する
ことを特徴とする請求項７または８に記載の画像処理装置。
【請求項１０】
動画像の１フレームの画像を複数の分割領域に分割する分割ステップと、
前記分割領域毎に、その分割領域内の画素の階調値に基づいて、前記画像の階調を変換するための階調変換パラメータを決定する決定ステップと、
前記動画像における前記分割領域間を跨いだ映像の動きを検出して動き情報を生成する生成ステップと、
前記分割領域毎に、前記動き情報に基づいて、前記決定ステップにより決定された前記階調変換パラメータを補正して補正パラメータを出力する補正ステップと、
前記補正パラメータを用いて前記画像の階調を変換する変換ステップと、
を有することを特徴とする画像処理装置の制御方法。
【請求項１１】
前記生成ステップでは、前記動き情報として、階調変換の対象である対象フレームの前記分割領域毎に、その前のフレームからの所定の階調範囲の画素数の変動量が算出され、
前記補正ステップでは、前記変動量に応じて、前記決定ステップで決定された階調変換パラメータと前記前のフレームで適用された階調変換パラメータの間の変換特性をもつように、前記所定の階調範囲の画素に適用する補正パラメータが決定される
ことを特徴とする請求項１０に記載の画像処理装置の制御方法。
【請求項１２】
前記補正ステップでは、前記前のフレームに比べて前記対象フレームの前記所定の階調範囲の画素数が多いほど、前記決定ステップで決定された階調変換パラメータの変換特性に近くなるように補正パラメータが決定される
ことを特徴とする請求項１１に記載の画像処理装置の制御方法。
【請求項１３】
前記補正ステップでは、前記前のフレームに比べて前記対象フレームの前記所定の階調範囲の画素数が少ないほど、前記前のフレームで適用された階調変換パラメータの変換特性に近くなるように補正パラメータが決定される
ことを特徴とする請求項１１または１２に記載の画像処理装置の制御方法。
【請求項１４】
前記生成ステップでは、前記動き情報として、動きの有る物体部分と動きの無い背景部分とを区別する情報が生成され、
前記補正ステップでは、前記物体部分と前記背景部分について、個別に、補正パラメータが決定される
ことを特徴とする請求項１０に記載の画像処理装置の制御方法。
【請求項１５】
前記補正ステップでは、前記物体部分に適用する補正パラメータが、階調変換の対象である対象フレームの前のフレームで当該物体部分に適用された階調変換パラメータを基準として決定される
ことを特徴とする請求項１４に記載の画像処理装置の制御方法。
【請求項１６】
前記生成ステップでは、前記動き情報として、階調変換の対象である対象フレームの前記分割領域毎に、その前のフレームからの前記背景部分の面積の変動量が更に算出され、
前記補正ステップでは、前記変動量に応じて、前記決定ステップで決定された階調変換パラメータと前記前のフレームで前記背景部分に適用された階調変換パラメータの間の変換特性をもつように、前記背景部分に適用する補正パラメータが決定される
ことを特徴とする請求項１４または１５に記載の画像処理装置の制御方法。
【請求項１７】
前記補正ステップでは、前記前のフレームに比べて前記対象フレームの前記背景部分の面積が大きいほど、前記決定ステップで決定された階調変換パラメータの変換特性に近くなるように、前記背景部分に適用する補正パラメータが決定される
ことを特徴とする請求項１６に記載の画像処理装置の制御方法。
【請求項１８】
前記補正ステップでは、前記前のフレームに比べて前記対象フレームの前記背景部分の面積が小さいほど、前記前のフレームで背景部分に適用された階調変換パラメータの変換特性に近くなるように、前記背景部分に適用する補正パラメータが決定される
ことを特徴とする請求項１６または１７に記載の画像処理装置の制御方法。
【手続補正２】
【補正対象書類名】明細書
【補正対象項目名】０００５
【補正方法】変更
【補正の内容】
【０００５】
本発明の画像処理装置は、動画像の１フレームの画像を複数の分割領域に分割する分割手段と、分割領域毎に、その分割領域内の画素の階調値に基づいて、画像の階調を変換するための階調変換パラメータを決定する決定手段と、動画像における分割領域間を跨いだ映像の動きを検出して動き情報を生成する生成手段と、分割領域毎に、動き情報に基づいて、決定手段により決定された階調変換パラメータを補正して補正パラメータを出力する補正手段と、補正パラメータを用いて画像の階調を変換する変換手段と、を有することを特徴とする。
【手続補正３】
【補正対象書類名】明細書
【補正対象項目名】０００６
【補正方法】変更
【補正の内容】
【０００６】
本発明の画像処理装置の制御方法は、動画像の１フレームの画像を複数の分割領域に分割する分割ステップと、分割領域毎に、その分割領域内の画素の階調値に基づいて、画像の階調を変換するための階調変換パラメータを決定する決定ステップと、動画像における分割領域間を跨いだ映像の動きを検出して動き情報を生成する生成ステップと、分割領域毎に、動き情報に基づいて、決定ステップにより決定された階調変換パラメータを補正して補正パラメータを出力する補正ステップと、補正パラメータを用いて画像の階調を変換する変換ステップと、を有することを特徴とする。